(57)【要約】【課題】パルス妨害信号と連続波妨害信号波の両方を抑圧し、目標の検出率を向上させることができるパルス圧縮装置を提供する。【解決手段】時間軸上の送信信号を周波数軸上の信号に変換する第１変換部１と、第１変換部１からの信号の複素共役である信号を生成する複素共役部２と、時間軸上の受信信号を周波数軸上の信号に変換する第２変換部３と、第２変換部３からの信号の振幅を所定レベルで制限する周波数軸リミタ６と、複素共役部２からの信号と周波数軸リミタ６からの信号とを乗算する乗算器４と、乗算器４からの周波数軸上の信号を時間軸上の信号に変換してパルス圧縮信号として出力する逆変換部５とを備えている。【選択図】図１
2005164539.tif 000002
【特許請求の範囲】
【請求項１】
時間軸上の送信信号を周波数軸上の信号に変換する第１変換部と、
前記第１変換部からの信号の複素共役である信号を生成する複素共役部と、
時間軸上の受信信号を周波数軸上の信号に変換する第２変換部と、
前記第２変換部からの信号の振幅を所定レベルで制限する周波数軸リミタと、
前記複素共役部からの信号と前記周波数軸リミタからの信号とを乗算する乗算器と、
前記乗算器からの周波数軸上の信号を時間軸上の信号に変換してパルス圧縮信号として出力する逆変換部と、
を備えたことを特徴とするパルス圧縮装置。
【請求項２】
時間軸上の受信信号の振幅を所定レベルで制限する時間軸リミタを更に備え、
前記第２変換部は、前記時間軸リミタからの信号を周波数軸上の信号に変換することを特徴とする請求項１記載のパルス圧縮装置。
【請求項３】
時間軸上の送信信号を周波数軸上の信号に変換する第１変換部と、
前記第１変換部からの信号の複素共役である信号を生成する複素共役部と、
時間軸上の受信信号を周波数軸上の信号に変換する第２変換部と、
前記第２変換部からの信号に基づいて制限値を生成する周波数軸リミタ制御器と、
前記第２変換部からの信号を前記周波数軸リミタ制御器で生成された第１の制限値で制限する周波数軸リミタと、
前記複素共役部からの信号と前記周波数軸リミタからの信号とを乗算する乗算器と、
前記乗算器からの周波数軸上の信号を時間軸上の信号に変換してパルス圧縮信号として出力する逆変換部と、
を備えたことを特徴とするパルス圧縮装置。
【請求項４】
前記周波数軸リミタ制御器は、前記第２変換部からの信号の移動平均に基づいて前記第１の制限値を生成することを特徴とする請求項３記載のパルス圧縮装置。
【請求項５】
時間軸上の受信信号に基づいて第２の制限値を生成する時間軸リミタ制御器と、
時間軸上の受信信号を前記時間軸リミタ制御器で生成された前記第２の制限値に応じたレベルで制限する時間軸リミタとを更に備え、
前記第２変換部は、前記時間軸リミタからの信号を周波数軸上の信号に変換することを特徴とする請求項３記載のパルス圧縮装置。
【発明の詳細な説明】
【技術分野】
【０００１】
本発明は、レーダ装置で使用されるパルス圧縮装置に関し、特に連続波（狭帯域）妨害信号による妨害を抑圧する技術に関する。
【背景技術】
【０００２】
従来、レーダ装置において使用されるパルス圧縮装置が知られている（例えば、特許文献１参照）。このパルス圧縮装置は、パルス内が変調された長パルス信号を目標に向けて送信し、目標で反射された長パルス信号を受信して信号処理を行うことによりパルス圧縮し、所望の短パルス信号を得るものである。
【０００３】
このような従来のパルス圧縮装置において、パルス圧縮処理は、時間軸上の畳み込み演算により実施される。図１３は時間軸上での畳み込み演算を行うためのトランスバーサルフィルタの一例を示す。このトランスバーサルフィルタは、演算器４０１と遅延器４０２とを単位構成とし、これを処理ポイント数分だけ縦続接続し、各演算器の出力を加算器にて加算することにより、パルス圧縮を実現するようにしたものである。
【０００４】
しかしながら、パルス圧縮比が大きい場合は、演算量が多くなる。そこで、演算量を低減すためにＦＦＴ（Fast Fourier Transform、高速フーリエ変換）などを用いて周波数軸上（周波数空間とも呼ばれる）でのパルス圧縮処理が行われる場合が多い。
【０００５】
図１４は周波数軸上でパルス圧縮処理を行う従来のパルス圧縮装置の構成を示すブロック図である。
【０００６】
ここでは、時間・周波数変換のためフーリエ変換及び逆フーリエ変換を用いるが、フーリエ変換及び逆フーリエ変換は、演算量低減のためＦＦＴ（Fast Fourier Transform：高速フーリエ変換）及びＩＦＦＴ（Inverse Fast Fourier Transform：高速逆フーリエ変換）に置き変えることができるのは、勿論である。
【０００７】
このパルス圧縮装置は、第１フーリエ変換部（第１ＦＴ部）１、複素共役部２、第２フーリエ変換部（第２ＦＴ部）３、乗算器４及び逆フーリエ変換部（ＩＦＴ部）５から構成されている。
【０００８】
第１フーリエ変換部１は、本発明の第１変換部に対応し、外部から入力された時間軸上の送信信号ＸＴ（ｎ）を、下記式（１）に従ってフーリエ変換することにより、周波数軸上の信号ＹＴ（ｋ）に変換する。
【数１】
2005164539.tif 000003
【０００９】
ここに、Ｗは係数であり、Ｎはフーリエ変換の処理ポイント数である。また、Ｗは、以下の式で表される。
【数２】
2005164539.tif 000004
【００１０】
なお、上記Ｗに重み付け係数を乗算することにより、窓関数処理を実施できることは、勿論である。
【００１１】
この第１フーリエ変換部１で得られた信号ＹＴ（ｋ）は、複素共役部２に送られる。
【００１２】
複素共役部２は、第１フーリエ変換部１から入力された信号ＹＴ（ｋ）を、それに対して複素共役となる複素共役信号ＹＴ＊（ｋ）（＊は複素共役であることを表す）に変換する。この複素共役部２で得られた複素共役信号ＹＴ＊（ｋ）は、乗算器４に送られる。なお、この複素共役信号ＹＴ＊（ｋ）は、予め計算しておくことも可能である。
【００１３】
第２フーリエ変換部３は、本発明の第２変換部に対応し、外部から入力された時間軸上の受信信号ＸＲ（ｎ）を、下記式（２）に従ってフーリエ変換することにより、周波数軸上の信号ＹＲ（ｋ）に変換する。
【数３】
2005164539.tif 000005
【００１４】
ここに、Ｗは係数であり、Ｎはフーリエ変換の処理ポイント数である。この第２フーリエ変換部３で得られた信号ＹＲ（ｋ）は、乗算器４に送られる。
【００１５】
乗算器４は、複素共役部２から送られてくる送信信号ＸＴ（ｋ）の周波数軸の複素共役信号ＹＴ＊（ｋ）と、第２フーリエ変換部３から送られてくる受信信号ＸＲ（ｎ）の周波数軸上の信号ＹＲ（ｋ）とを乗算する。この乗算器４で得られた信号ＹＴ＊（ｋ）・ＹＲ（ｋ）は逆フーリエ変換部５に送られる。
【００１６】
なお、上記ＹＴ＊（ｋ）・ＹＲ（ｋ）に重み付け係数を乗算することにより、窓関数処理を実施できることは、勿論である。
【００１７】
逆フーリエ変換部５は、本発明の逆変換部に対応し、乗算器４からの信号ＹＴ＊（ｋ）・ＹＲ（ｋ）を、下記式（３）に従って、逆フーリエ変換する。
【数４】
2005164539.tif 000006
【００１８】
ここに、Ｗは係数であり、Ｎは逆フーリエ変換の処理ポイント数である。この逆フーリエ変換により得られた信号が、時間軸上のパルス圧縮信号Ｚ（ｎ）として出力される。
【００１９】
また、妨害信号が存在する環境において、妨害信号を抑圧するためには、妨害信号の時間軸上の振幅に対して、リミタ（振幅制限器）で振幅の最大値を所定レベルに制限するディッキ−フィクス（Dicke-Fix）受信回路が知られている（例えば、非特許文献１参照）。
【特許文献１】特許２５５０７０６号
【非特許文献１】吉田孝監修、「改訂  レーダ技術」、電子情報通信学会、１９９６、２９７Ｐ．
【発明の開示】
【発明が解決しようとする課題】
【００２０】
上述した従来のパルス圧縮装置は、それ自体で短パルス妨害などのパルス妨害信号に対してその振幅を抑圧する機能を有するが、連続波（以下、「ＣＷ：Continuous Wave」という）や雑音などの連続波妨害信号による妨害には効果がない。
【００２１】
また、ディッキーフィクス受信回路は、短パルス妨害などの瞬間的にリミタの振幅最大値を超えるようなパルス妨害信号に対しては振幅を抑圧する効果があるが、リミタの振幅最大値以下のパルス妨害信号や連続波妨害信号に対しては効果がない。
【００２２】
そこで、本発明は、パルス妨害信号と連続波妨害信号波の両方を抑圧し、目標の検出率を向上させることができるパルス圧縮装置を提供することにある。
【課題を解決するための手段】
【００２３】
上述した課題を解決するために、第１の発明に係るパルス圧縮装置は、時間軸上の送信信号を周波数軸上の信号に変換する第１変換部と、第１変換部からの信号の複素共役である信号を生成する複素共役部と、時間軸上の受信信号を周波数軸上の信号に変換する第２変換部と、第２変換部からの信号の振幅を所定レベルで制限する周波数軸リミタと、複素共役部からの信号と周波数軸リミタからの信号とを乗算する乗算器と、乗算器からの周波数軸上の信号を時間軸上の信号に変換してパルス圧縮信号として出力する逆変換部とを備えている。
【００２４】
この第１の発明は、更に、時間軸上の受信信号の振幅を所定レベルで制限する時間軸リミタを備え、第２変換部は、時間軸リミタからの信号を周波数軸上の信号に変換するように構成できる。
【００２５】
また、第２の発明に係るパルス圧縮装置は、時間軸上の送信信号を周波数軸上の信号に変換する第１変換部と、第１変換部からの信号の複素共役である信号を生成する複素共役部と、時間軸上の受信信号を周波数軸上の信号に変換する第２変換部と、第２変換部からの信号に基づいて第１の制限値を生成する周波数軸リミタ制御器と、第２変換部からの信号を周波数軸リミタ制御器で生成された第１の制限値で制限する周波数軸リミタと、複素共役部からの信号と周波数軸リミタからの信号とを乗算する乗算器と、乗算器からの周波数軸上の信号を時間軸上の信号に変換してパルス圧縮信号として出力する逆変換部とを備えている。
【００２６】
この第２の発明において、周波数軸リミタ制御器は、第２変換部からの信号の移動平均に基づいて第１の制限値を生成するように構成できる。また、この第２の発明は、更に、時間軸上の受信信号に基づいて第２の制限値を生成する時間軸リミタ制御器と、時間軸上の受信信号を時間軸リミタ制御器で生成された第２の制限値に応じたレベルで制限する時間軸リミタを備え、第２変換部は、時間軸リミタからの信号を周波数軸上の信号に変換するように構成できる。
【発明の効果】
【００２７】
本発明に係るパルス圧縮装置によれば、受信信号を周波数軸上の信号に変換した後に、周波数軸上の信号の振幅を所定レベルに制限するように構成したので、パルス妨害信号に加えて、連続波妨害信号波を抑圧し、目標の検出率を向上させることができるパルス圧縮装置を提供できる。
【発明を実施するための最良の形態】
【００２８】
以下、本発明の実施の形態に係るパルス圧縮装置を、図面を参照しながら詳細に説明する。なお、以下においては、背景技術の欄で説明した構成部分に相当する部分には、背景技術の欄で使用した符号と同じ符号を用いて説明する。
【実施例１】
【００２９】
本発明の実施例１に係るパルス圧縮装置は、受信信号の周波数軸上での信号の振幅最大値を所定レベルに制限することを特徴とする。
【００３０】
図１は本発明の実施例１に係るパルス圧縮装置の構成を示すブロック図である。このパルス圧縮装置は、第１フーリエ変換部（第１ＦＴ部）１、複素共役部２、第２フーリエ変換部（第２ＦＴ部）３、乗算器４、逆フーリエ変換部（ＩＦＴ部）５及び周波数軸リミタ６から構成されている。
【００３１】
実施例では、時間・周波数変換のためフーリエ変換及び逆フーリエ変換を用いるが、フーリエ変換及び逆フーリエ変換は、演算量低減のためＦＦＴ（Fast Fourier Transform：高速フーリエ変換）及びＩＦＦＴ（Inverse Fast Fourier Transform：高速逆フーリエ変換）に置き変えることができるのは、勿論である。  
第１フーリエ変換部１は、外部から入力された時間軸上の送信信号ＸＴ（ｎ）を、下記式（４）に従って高速フーリエ変換することにより、周波数軸上の信号ＹＴ（ｋ）に変換する。
【数５】
2005164539.tif 000007
【００３２】
ここに、Ｗは係数であり、Ｎはフーリエ変換の処理ポイント数である。また、Ｗは、以下の式で表される。
【数６】
2005164539.tif 000008
【００３３】
なお、上記Ｗに重み付け係数を乗算することにより、窓関数処理を実施できることは、勿論である。
【００３４】
この第１フーリエ変換部１で得られた信号ＹＴ（ｋ）は、複素共役部２に送られる。
【００３５】
複素共役部２は、第１フーリエ変換部１から入力された信号ＹＴ（ｋ）を、それに対して複素共役となる複素共役信号ＹＴ＊（ｋ）（＊は複素共役であることを表す）に変換する。この複素共役部２で得られた複素共役信号ＹＴ＊（ｋ）は、乗算器４に送られる。なお、この複素共役信号ＹＴ＊（ｋ）は、予め計算しておくことも可能である。
【００３６】
第２フーリエ変換部３は、外部から図２の波形図に示すような時間軸上の受信信号ＸＲ（ｎ）を入力し、下記式（５）に従ってフーリエ変換することにより、周波数軸上の信号ＹＲ（ｋ）に変換する。
【数７】
2005164539.tif 000009
【００３７】
ここに、Ｗは係数であり、Ｎはフーリエ変換の処理ポイント数である。
【００３８】
この第２フーリエ変換部３で得られた信号ＹＲ（ｋ）は、周波数軸リミタ６に送られる。
【００３９】
周波数軸リミタ６は、周波数軸上での信号の振幅最大値を所定レベルに制限する振幅制限器である。周波数軸リミタ６は、図３の波形図に示すように、第２フーリエ変換部３から送られてくる周波数軸上の信号ＹＲ（ｋ）の振幅｜ＹＲ（ｋ）｜に対して、振幅最大値を所定レベルＴＨに制限するリミタ処理を施し、図４に示すようなリミタ出力信号ＹＲ’（ｋ）を出力する。この周波数軸リミタ６で得られたリミタ出力信号ＹＲ’（ｋ）は、乗算器４に送られる。
【００４０】
乗算器４は、複素共役部２から送られてくる信号ＹＴ（ｋ）の複素共役信号ＹＴ＊（ｋ）と、周波数軸リミタ６から送られてくるリミタ出力信号ＹＲ’（ｋ）とを乗算する。この乗算器４で得られた信号ＹＴ＊（ｋ）・ＹＲ’（ｋ）は逆フーリエ変換部５に送られる。
【００４１】
なお、上記ＹＴ＊（ｋ）・ＹＲ（ｋ）に重み付け係数を乗算することにより、窓関数処理を実施できることは、勿論である。
【００４２】
逆フーリエ変換部５は、乗算器４からの信号ＹＴ＊（ｋ）・ＹＲ’（ｋ）を、下記式（６）に従って、逆フーリエ変換する。
【数８】
2005164539.tif 000010
【００４３】
ここに、Ｗは係数であり、Ｎは逆フーリエ変換の処理ポイント数である。この逆フーリエ変換により得られた信号が、図５に示すような、時間軸上のパルス圧縮信号Ｚ（ｎ）として出力される。この図５を参照すれば、リミタ処理を実施することにより、図２に示す−２０ｄＢの受信信号ＸＲ（ｎ）が２０ｄＢ程度抑圧され、パルス圧縮信号Ｚ（ｎ）として出力されることが分かる。
【００４４】
以上説明したように、本発明の実施例１に係るパルス圧縮装置によれば、ＣＷや狭帯域雑音などの時間軸上の連続波妨害信号は、周波数軸において、線状スペクトラムとして現れることを利用し、連続波妨害信号が含まれる受信信号をフーリエ変換により周波数軸上の信号に変換したのち、周波数軸上のリミタにより、線状スペクトラムの振幅最大値を所定レベルに制限するリミタ処理を実施するように構成したので、連続波妨害信号を抑圧することができる。
【実施例２】
【００４５】
本発明の実施例２に係るパルス圧縮装置は、受信信号の時間軸上での信号及び周波数軸上での信号の各々について振幅最大値を所定レベルに制限することを特徴とする。
【００４６】
図６は本発明の実施例２に係るパルス圧縮装置の構成を示すブロック図である。このパルス圧縮装置は、実施例１に係るパルス圧縮装置に時間軸リミタ７が追加されて構成されている。以下、実施例１に係るパルス圧縮装置と相違する部分を中心に説明する。
【００４７】
時間軸リミタ７は、時間軸での信号の振幅最大値を所定レベルに制限する振幅制限器である。時間軸リミタ７は、外部から入力された時間軸上の受信信号ＸＲ（ｎ）の振幅｜ＸＲ（ｎ）｜に対して、振幅最大値を所定レベルに制限するリミタ処理を施し、リミタ出力信号ＸＲ’（ｎ）を出力する。この時間軸リミタ７で得られたリミタ出力信号ＸＲ’（ｎ）は、第２フーリエ変換部３に送られる。
【００４８】
第２フーリエ変換部３は、時間軸リミタ７から入力されたリミタ出力信号ＸＲ’（ｎ）をフーリエ変換により周波数軸上の信号ＹＲ（ｋ）に変換する。この第２フーリエ変換部３で得られた信号ＹＲ（ｋ）は、周波数軸リミタ６に送られる。その他の動作については、上述した実施例１に係るパルス圧縮装置の動作と同じである。
【００４９】
以上説明したように、本発明の実施例２に係るパルス圧縮装置によれば、パルス圧縮装置そのものでも短パルス妨害などのパルス妨害信号に対しては振幅を抑圧する効果があるが、更に時間軸リミタ７を用いて、時間軸上の受信信号の振幅最大値を所定レベルに制限するように構成したので、より大きな振幅のパルス妨害信号を抑圧することができる。
【実施例３】
【００５０】
本発明の実施例３に係るパルス圧縮装置は、受信信号の周波数軸上での信号に基づいて、該信号の振幅最大値を可変制御するようにしたことを特徴とする。
【００５１】
図７は本発明の実施例３に係るパルス圧縮装置の構成を示すブロック図である。このパルス圧縮装置は、実施例１に係るパルス圧縮装置の周波数軸リミタ６が、これと類似の機能を有する周波数軸リミタ６ａに変更されるとともに、周波数軸リミタ制御器８が追加されて構成されている。以下、実施例１に係るパルス圧縮装置と相違する部分を中心に説明する。
【００５２】
周波数軸リミタ制御器８は、第２フーリエ変換部３から送られてくる周波数軸上の信号ＹＲ（ｋ）に基づいて周波数軸上での移動平均ＭＡ（ｋ）を周波数毎に下記式（７）に従って、算出する。
【数９】
2005164539.tif 000011
【００５３】
次に、周波数リミタ制御器８は、リミタ制御値ＬＣＶ（ｋ）を算出する。リミタ制御値ＬＣＶ（ｋ）は、周波数軸リミタ６ａに設定する各周波数の振幅最大値である。
【００５４】
リミタ制御値ＬＣＶ（ｋ）は、例えば、下記の式（８）のように、移動平均ＭＡ（ｋ）の４倍の振幅がリミタ制御値の最大値ＬＣＶmax未満の場合、移動平均ＭＡ（ｋ）の４倍の振幅を用い、移動平均ＭＡ（ｋ）の４倍の振幅がリミタ制御値の最大値ＬＣＶmax以上の場合、リミタ制御値の最大値ＬＣＶmaxを用いる。
【数１０】
2005164539.tif 000012
【００５５】
振幅最大値を制御可能な周波数軸リミタ６ａは、周波数軸リミタ制御器８から周波数毎に設定されるリミタ制御値（振幅最大値）ＬＣＶ（ｋ）に基づいて振幅最大値を満足するレベルに周波数軸上での信号の振幅を制限する。
【００５６】
周波数軸リミタ６ａは、図９の波形図に示すように、第２フーリエ変換部３において図８に示す受信信号ＸＲ（ｎ）をフーリエ変換することにより得られる周波数軸上の信号ＹＲ（ｋ）の振幅｜ＹＲ（ｋ）｜に対して、振幅最大値をリミタ制御値ＬＣＶ（ｋ）に制限するリミタ処理を施し、図１０に示すようなリミタ出力信号ＹＲ’（ｋ）を出力する。この周波数軸リミタ６で得られたリミタ出力信号ＹＲ’（ｋ）は、乗算器４に送られる。その他の動作は、上述した実施例１に係るパルス圧縮装置の動作と同じである。
【００５７】
図１１は以上の動作により逆フーリエ変換部５から得られた時間軸上のパルス圧縮信号Ｚ（ｎ）を示す波形図である。この図１１を参照すれば、リミタ処理を実施することにより、図８に示す−２０ｄＢの受信信号ＸＲ（ｎ）が３０ｄＢ程度抑圧され、パルス圧縮信号Ｚ（ｎ）として出力されることが分かる。
【００５８】
以上説明したように、本発明の実施例３に係るパルス圧縮装置によれば、周波数軸リミタ６ａへ入力される周波数軸上の信号に対して移動平均ＭＡ（ｋ）を算出し、この移動平均ＭＡ（ｋ）に基づくリミタ制御値ＬＣＶ（ｋ）により振幅最大値を制限する可変制御を行うようにしたので、妨害信号のように異常な振幅を持つ信号に対して細かく振幅制限を行うことができる。その結果、複数波やより低い振幅の連続波妨害信号の抑圧が可能になる。
【実施例４】
【００５９】
本発明の実施例４に係るパルス圧縮装置は、受信信号の時間軸上の信号及び周波数軸上での信号に基づいて、各信号の振幅最大値を可変制御するようにしたことを特徴とする。
【００６０】
図１２は本発明の実施例４に係るパルス圧縮装置の構成を示すブロック図である。このパルス圧縮装置は、実施例３に係るパルス圧縮装置に時間軸リミタ７ａ及び時間軸リミタ制御器９が追加されて構成されている。以下、実施例３に係るパルス圧縮装置と相違する部分を中心に説明する。
【００６１】
時間軸リミタ制御器９は、外部から送られてくる受信信号ＸＲ（ｎ）に基づいて時間軸での移動平均ＭＡ（ｎ）を算出し、実施例３と同様にリミタ制御値を算出する。
【００６２】
時間軸リミタ７ａは、時間軸リミタ制御器９から時間毎に設定されるリミタ制御値（振幅最大値）ＬＣＶ（ｎ）に基づいて振幅最大値を満足するレベルに時間軸上での信号の振幅を制限する。時間軸リミタ７ａは、外部から入力された時間軸上の受信信号ＸＲ（ｎ）の振幅｜ＸＲ（ｎ）｜に対して、振幅最大値をリミタ制御値ＬＣＶ（ｎ）に制限するリミタ処理を施し、リミタ出力信号ＸＲ’（ｎ）を出力する。この時間軸リミタ７ａで得られたリミタ出力信号ＸＲ’（ｎ）は、第２フーリエ変換部３に送られる。その他の動作は、上述した実施例３に係るパルス圧縮装置の動作と同じである。
【００６３】
以上説明したように、本発明の実施例４に係るパルス圧縮装置によれば、周波数軸リミタ６ａへ入力される周波数軸上の信号に対して移動平均ＭＡ（ｋ）を算出し、これに基づくリミタ制御値ＬＣＶ（ｋ）により振幅最大値を制限する可変制御を行うとともに、時間軸リミタ７ａへ入力される時間軸上の信号に対して移動平均ＭＡ（ｎ）を算出し、これに基づくリミタ制御値ＬＣＶ（ｎ）により振幅最大値を制限する可変制御を行うようにしたので、妨害信号のように異常な振幅を持つ信号に対して細かく振幅制限処理を実施できる。その結果、より低い振幅のパルス妨害信号や連続波妨害信号の抑圧が可能になる。
【産業上の利用可能性】
【００６４】
本発明は、パルス圧縮装置を備えるレーダ装置やソナー装置などに適用可能である。
【図面の簡単な説明】
【００６５】
【図１】本発明の実施例１に係るパルス圧縮装置の構成を示すブロック図である。
【図２】図１に示すパルス圧縮装置に入力される受信信号の波形図である。
【図３】図２に示す受信信号をフーリエ変換して得られる周波数軸上の信号の波形図である。
【図４】図３に示す信号を周波数軸上でリミタ処理することにより得られる信号の波形図である。
【図５】図１に示すパルス圧縮装置でパルス圧縮された信号の波形図である。
【図６】本発明の実施例２に係るパルス圧縮装置の構成を示すブロック図である。
【図７】本発明の実施例３に係るパルス圧縮装置の構成を示すブロック図である。
【図８】図７に示すパルス圧縮装置に入力される受信信号の波形図である。
【図９】図８に示す受信信号をフーリエ変換して得られる周波数軸上の信号の波形図である。
【図１０】図９に示す信号を周波数軸上でリミタ処理することにより得られる信号の波形図である。
【図１１】図７に示すパルス圧縮装置でパルス圧縮された信号の波形図である。
【図１２】本発明の実施例４に係るパルス圧縮装置の構成を示すブロック図である。
【図１３】従来のパルス圧縮装置として使用されるトランスバーサルフィルタの構成を示すブロック図である。
【図１４】従来の他のパルス圧縮装置の構成を示すブロック図である。
【符号の説明】
【００６６】
１  第１フーリエ変換部（第１ＦＴ部）
２  複素共役部
３  第２フーリエ変換部（第２ＦＴ部）
４  乗算器
５  逆フーリエ変換部（ＩＦＴ部）
６、６ａ  周波数軸リミタ
７、７ａ  時間軸リミタ
８  周波数軸リミタ制御器
９  時間軸リミタ制御器
【図１】
2005164539.tif 000013
【図２】
2005164539.tif 000014
【図３】
2005164539.tif 000015
【図４】
2005164539.tif 000016
【図５】
2005164539.tif 000017
【図６】
2005164539.tif 000018
【図７】
2005164539.tif 000019
【図８】
2005164539.tif 000020
【図９】
2005164539.tif 000021
【図１０】
2005164539.tif 000022
【図１１】
2005164539.tif 000023
【図１２】
2005164539.tif 000024
【図１３】
2005164539.tif 000025
【図１４】
2005164539.tif 000026